(57)【要約】【課題】除外条件に該当するＬＰＲＭ信号が発生しても、適正なタイミングで出力振動の異常／正常の判定結果が出力される原子炉の出力振動監視技術を提供する。【解決手段】出力振動監視装置は、炉心内に配置される複数のうち高さ方向位置の異なるＬＰＲＭ検出器が発信するＬＰＲＭ信号４３（４３Ａ，４３Ｂ，４３Ｃ，４３Ｄ）を受信する受信部２１と、受信したＬＰＲＭ信号４３のうち除外条件２２に合致する除外信号４７を指定する指定部２３と、受信したＬＰＲＭ信号４３のうち除外条件２２に合致しない正規信号４８に基づいて除外信号４７の代替信号４９を推定する推定部２４と、正規信号４８及び代替信号４９を加算平均した加算平均信号５１を出力する加算平均部２５と、この加算平均信号５１を時間平均した時間平均信号５２を出力する時間平均部２６と、加算平均信号５１を時間平均信号５２で除算した規格値４４を出力する演算部２７と、を備えている。【選択図】  図２
2014234995.tif 000002
【特許請求の範囲】
【請求項１】
炉心内に配置される複数のうち高さ方向位置の異なるＬＰＲＭ検出器が発信するＬＰＲＭ信号を受信する受信部と、
受信したＬＰＲＭ信号のうち除外条件に合致する除外信号を指定する指定部と、
受信したＬＰＲＭ信号のうち除外条件に合致しない正規信号に基づいて前記除外信号の代替信号を推定する推定部と、
前記正規信号及び前記代替信号を加算平均した加算平均信号を出力する加算平均部と、
前記加算平均信号を時間平均した時間平均信号を出力する時間平均部と、
前記加算平均信号を前記時間平均信号で除算した規格値を出力する演算部と、を備えることを特徴とする原子炉の出力振動監視装置。
【請求項２】
請求項１に記載の原子炉の出力振動監視装置において、
前記炉心の高さ方向位置及び水平方向位置が一致しないように組み合わせたＬＰＲＭ検出器が発信する前記ＬＰＲＭ信号をセルに割り付ける信号割付部と、
前記セルを単位として出力される前記規格値の異常／正常の判定結果を出力する判定部と、
複数の前記セルを単位としてそれぞれ出力される複数の前記判定結果に基づいて炉心制御に関する命令を出力する命令出力部と、を備えることを特徴とする原子炉の出力振動監視装置。
【請求項３】
請求項１又は請求項２に記載の原子炉の出力振動監視装置において、
前記推定部は、さらに前記炉心内の流速情報に基づいて前記代替信号を推定することを特徴とする原子炉の出力振動監視装置。
【請求項４】
請求項１から請求項３のいずれか１項に記載の原子炉の出力振動監視装置において、
前記推定部は、複数の前記正規信号間の位相差又は振幅値に基づいて前記代替信号を推定することを特徴とする原子炉の出力振動監視装置。
【請求項５】
請求項１から請求項４のいずれか１項に記載の原子炉の出力振動監視装置において、
前記推定部は、さらに前記炉心の振動分布情報に基づいて前記代替信号を推定することを特徴とする原子炉の出力振動監視装置。
【請求項６】
炉心内に配置される複数のうち高さ方向位置の異なるＬＰＲＭ検出器が発信するＬＰＲＭ信号を受信するステップと、
受信したＬＰＲＭ信号のうち除外条件に合致する除外信号を指定するステップと、
受信したＬＰＲＭ信号のうち除外条件に合致しない正規信号に基づいて前記除外信号の代替信号を推定するステップと、
前記正規信号及び前記代替信号を加算平均した加算平均信号を出力するステップと、
前記加算平均信号を時間平均した時間平均信号を出力するステップと、
前記加算平均信号を前記時間平均信号で除算した規格値を出力するステップと、を含むことを特徴とする原子炉の出力振動監視方法。
【請求項７】
コンピュータに、
炉心内に配置される複数のうち高さ方向位置の異なるＬＰＲＭ検出器が発信するＬＰＲＭ信号を受信するステップ、
受信したＬＰＲＭ信号のうち除外条件に合致する除外信号を指定するステップ、
受信したＬＰＲＭ信号のうち除外条件に合致しない正規信号に基づいて前記除外信号の代替信号を推定するステップ、
前記正規信号及び前記代替信号を加算平均した加算平均信号を出力するステップ、
前記加算平均信号を時間平均した時間平均信号を出力するステップ、
前記加算平均信号を前記時間平均信号で除算した規格値を出力するステップ、を実行させることを特徴とする原子炉の出力振動監視プログラム。
【発明の詳細な説明】
【技術分野】
【０００１】
本発明は、原子炉の出力振動を監視する技術に関する。
【背景技術】
【０００２】
沸騰水型原子炉においては、炉心を通過する冷却水にボイドが生成したり消滅したりするのに伴い、原子炉出力が低下と上昇を繰り返し増幅する出力振動が観測される。
このような出力振動の発生は、燃料健全性の低下に繋がるために、出力振動監視装置（ＯＰＲＭ：Oscillation Power Range Monitor）において、局所出力領域モニタ（ＬＰＲＭ）の出力信号の振動成分を抽出し監視している（例えば、特許文献１）。
そして、出力振動が所定の状態を超えて観測される場合は、異常と判定し原子炉をトリップさせて原子炉の出力を低下させる対策がとられている。
【先行技術文献】
【特許文献】
【０００３】
【特許文献１】特許第３０６４０８４号公報
【発明の概要】
【発明が解決しようとする課題】
【０００４】
ＯＰＲＭに入力させたＬＰＲＭ信号が除外条件に該当する場合は、その他のＬＰＲＭ信号に基づいて出力振動の異常／正常の判定を実施している。
また冷却水は、下部から炉心に流入し加熱による沸騰を開始して、水・蒸気の二相状態で流動して炉心上部から抜けている。
このように、冷却水は炉心下部側から炉心上部側へ流れるため、ＬＰＲＭ信号は、炉心上部側よりも炉心下部側の方が出力振動に対する応答が早くなる。
【０００５】
したがって、原子炉の出力振動に応答したＬＰＲＭ信号には、検出器の高さ方向位置に依存する位相差が含まれている。
このために、炉心下部側のＬＰＲＭ信号が除外条件に該当する場合は、前記した出力振動の異常／正常の判定結果の出力タイミングが遅延することが懸念される。
【０００６】
本発明はこのような事情を考慮してなされたもので、除外条件に該当するＬＰＲＭ信号が発生しても、適正なタイミングで出力振動の異常／正常の判定結果が出力される原子炉の出力振動監視技術を提供することを目的とする。
【課題を解決するための手段】
【０００７】
本発明に係る原子炉の出力振動監視装置において、炉心内に配置される複数のうち高さ方向位置の異なるＬＰＲＭ検出器が発信するＬＰＲＭ信号を受信する受信部と、受信したＬＰＲＭ信号のうち除外条件に合致する除外信号を指定する指定部と、受信したＬＰＲＭ信号のうち除外条件に合致しない正規信号に基づいて前記除外信号の代替信号を推定する推定部と、前記正規信号及び前記代替信号を加算平均した加算平均信号を出力する加算平均部と、前記加算平均信号を時間平均した時間平均信号を出力する時間平均部と、前記加算平均信号を前記時間平均信号で除算した規格値を出力する演算部と、を備えることを特徴とする。
【発明の効果】
【０００８】
本発明により、除外条件に該当するＬＰＲＭ信号が発生しても、適正なタイミングで出力振動の異常／正常の判定結果が出力される原子炉の出力振動監視技術が提供される。
【図面の簡単な説明】
【０００９】
【図１】本発明に係る原子炉の出力振動監視装置の実施形態を示すブロック図。
【図２】原子炉の出力振動監視装置に適用される振動成分抽出部の実施形態を示すブロック図。
【図３】実施形態に係る原子炉の出力振動監視装置の動作を説明するフローチャート。
【図４】本発明の実施形態から派生する振動成分抽出部の参考例を示すブロック図。
【図５】本発明の実施形態から派生する振動成分抽出部の他の参考例を示すブロック図。
【発明を実施するための形態】
【００１０】
以下、本発明の実施形態を添付図面に基づいて説明する。
図１に示すように原子炉３０は、炉心３１を収容する圧力容器３２と、この炉心３１で発生した蒸気をタービン３３に導く主蒸気管３４と、このタービン３３で仕事をして膨張した蒸気が冷却して凝縮した給水を再び圧力容器３２に戻す給水管３５とから構成されている。
【００１１】
そして、炉心３１で発生した蒸気は、気水分離器３６で気水分離され、その蒸気は前記したように主蒸気管３４に導かれて発電に寄与し、分離された分離水は給水管３５から戻された給水と合流する。このように合流した炉水は、周方向に複数設けられた再循環ポンプ３７により（図面では省略して一つのみ記載）、再び炉心３１を通過して加熱され気液二相流となって、再び気水分離器３６に導かれ、前記したプロセスを繰り返す。
【００１２】
炉心３１は、核燃料を収容する燃料集合体（図示略）と、この核燃料の核分裂反応を制御する制御棒（図示略）と、この核分裂反応に伴い放出される中性子を検出するＬＰＲＭ検出器４１と、このＬＰＲＭ検出器４１を支持するとともに信号線を圧力容器３２の外部に案内する計装管４２とが、多数配列して構成されている。
【００１３】
これら計装管４２（４２1,４２2〜４２n）の鉛直方向４箇所に設けられているＬＰＲＭ検出器４１（４１A,４１B,４１C,４１D）は、下からの高さ位置に応じてそれぞれＡレベル、Ｂレベル、Ｃレベル、Ｄレベルと呼ばれている。
そして、炉心３１を内部循環する炉水は、Ａレベルから流入して、燃料により加熱され沸騰が始まり、Ｂレベル、Ｃレベル、Ｄレベルに水・蒸気の二相状態を変化させながら順次到達する。
【００１４】
そして、炉心３１を下から上に向かう炉水の圧力伝播遅れにより、二相状態（水・蒸気割合）が変動し、位置が高くなるにつれてＬＰＲＭ検出器４１（４１A,４１B,４１C,４１D）の応答が遅れる。
そして、Ａレベル、Ｂレベル、Ｃレベル、Ｄレベルから検出されるＬＰＲＭ信号４３の出力振動に、それぞれ位相差を生じさせる。
以下において、第ｎ計装管４２nのＡレベル、Ｂレベル、Ｃレベル、ＤレベルのＬＰＲＭ検出器４１A,４１B,４１C,４１Dにおけるそれぞれの出力を、ＬＰＲＭ信号４３Ａn，４３Ｂn，４３Ｃn，４３Ｄnのように表記する。
【００１５】
出力振動監視装置１０は、炉心３１の高さ方向位置及び水平方向位置が一致しないように組み合わせたＬＰＲＭ検出器４１が発信するＬＰＲＭ信号４３をセル１１（１１1,１１2〜１１m）に割り付ける信号割付部１２と、これらセル１１（１１1,１１2〜１１m）を単位として振動成分抽出部２０（２０1,２０2〜２０m）から出力される規格値４４（４４1,４４2〜４４m）の異常／正常の判定結果を出力する判定部１３（１３1,１３2〜１３m）と、複数のセル１１（１１1,１１2〜１１m）を単位としてそれぞれ出力される複数の判定結果４５（４５1,４５2〜４５m）に基づいて炉心制御に関する命令４６を出力する命令出力部１４と、を備えている。
【００１６】
なお、沸騰水型原子炉の出力振動監視システムは、複数の区分から構成されるが、１区分のみ図示している。
また、出力振動監視装置１０に入力したＬＰＲＭ信号４３は、Ａ／Ｄ変換部（図示略）によりアナログ信号からデジタル信号に変換されている。
【００１７】
信号割付部１２は、ＬＰＲＭ信号４３を入力し、炉心３１の高さ方向位置及び水平方向位置が一致しないように組み合わせて、セル１１（１１1,１１2〜１１m）に割り付ける。
セル１１とは、炉心３１の全体に分布するＬＰＲＭ検出器４１を、いくつかのグループに規則的に分類させた概念である。
それぞれのセル１１（１１1,１１2〜１１m）に割り付けられるＬＰＲＭ信号４３Ａ，４３Ｂ，４３Ｃ，４３Ｄは、セル１１の間において部分的に重複するようにして、出力振動を確実に検知できるように十分な冗長性をもたせて組み合わされる。
【００１８】
振動成分抽出部２０（２０1,２０2〜２０m）は、図２に示すように、炉心内に配置される複数のうち高さ方向位置の異なるＬＰＲＭ検出器が発信するＬＰＲＭ信号４３（４３Ａ，４３Ｂ，４３Ｃ，４３Ｄ）を受信する受信部２１と、受信したＬＰＲＭ信号４３のうち除外条件２２に合致する除外信号４７を指定する指定部２３と、受信したＬＰＲＭ信号４３のうち除外条件２２に合致しない正規信号４８に基づいて除外信号４７の代替信号４９を推定する推定部２４と、正規信号４８及び代替信号４９を加算平均した加算平均信号５１を出力する加算平均部２５と、この加算平均信号５１を時間平均した時間平均信号５２を出力する時間平均部２６と、加算平均信号５１を時間平均信号５２で除算した規格値４４を出力する演算部２７と、を備えている。
【００１９】
信号受信部２１（２１1,２１2〜２１m）で受信したＬＰＲＭ信号４３（４３Ａ，４３Ｂ，４３Ｃ，４３Ｄ）は、出力振動に起因する振動以外にノイズ成分の振動を含んでいる。
このため信号受信部２１では、このノイズ成分を除去するためのフィルタ処理も実行する。
【００２０】
除外指定部２３は、ＬＰＲＭ信号４３のうち、次の（１）から（３）の除外条件２２に合致するＬＰＲＭ信号４３を除外信号４７に指定し、この除外条件２２に合致しないＬＰＲＭ信号４３を正規信号４８に指定する。
（１）発信元のＬＰＲＭ検出器が故障状態にあるもの、（２）ＯＰＲＭの前段におけるＬＰＲＭ信号の伝送経路に異常が発生しているもの、（３）ＬＰＲＭ信号の値が設定値より小さいもの（例えば５％未満）。
【００２１】
信号推定部２４は、除外指定部２３から除外信号４７と正規信号４８とを入力し、正規信号４８に基づいて除外信号４７の代替信号４９を推定する。
次に、この代替信号４９の推定方法について、いくつか説明する。
【００２２】
代替信号４９の推定方法の一例として、公知手段で得られる炉心内の流速情報５４を利用する方法について説明する。
信号推定部２４は、後記する異常判定部１３で導かれた出力振動の周期Ｔと、流速情報５４としての流速Ｖとを取得する。
ここで、除外信号４７を出力するＬＰＲＭ検出器４１（図１）と、正規信号４８を出力する直近のＬＰＲＭ検出器４１との間隔をＬとする。
【００２３】
すると、この除外信号４７の代替信号４９は、直近の正規信号４８に対し次式（１）で表される位相差θで振動しているとみなせる。
θ＝Ｌ／(ＶＴ)  ・・・  （１）
そこで、例えば、ＡレベルのＬＰＲＭ信号４３Ａが除外信号４７である場合は、直近の正規信号４８であるＢレベルのＬＰＲＭ信号４３Ｂの位相をθだけすすめて代替信号４９にすることができる。
【００２４】
なお、式（１）に代入する流量Ｖ（流量情報）は、複数の正規信号４８の間の位相差から求めることができる。
つまり、正規信号４８であるＢレベルのＬＰＲＭ信号４３Ｂの出力振動のピークトップの時間をｔBとし、ＣレベルのＬＰＲＭ信号４３Ｃの出力振動のピークトップの時間をｔCとすれば、流量Ｖは次式（２）で表される。
Ｖ＝Ｌ／(ｔC−ｔB)   ・・・  （２）
【００２５】
また位相差θは、上式（１）に拠ることなく、予め設定された定数とすることもできる。つまり、除外信号４７の送信元の高さレベルに対応して位相差θ（定数）を予め設定し、直近の正規信号４８の位相をθ（定数）だけすすめて代替信号４９にすることができる。
【００２６】
また位相差θに拠ることなく、複数の正規信号４８の振幅値を利用して代替信号４９を推定することもできる。
つまり、例えば、ＡレベルのＬＰＲＭ信号４３Ａが除外信号４７である場合は、直近の正規信号４８であるＢレベルのＬＰＲＭ信号４３Ｂの振幅を係数Ｋ（＞１）倍して代替信号４９にすることができる。
もしくは、公知手段から得られる縦方向の出力分布情報からＡレベルとＢレベルとの出力比を係数として求め、ＡレベルのＬＰＲＭ信号４３Ａが除外信号４７である場合は、直近の正規信号４８であるＢレベルのＬＰＲＭ信号４３Ｂの振幅を係数倍して代替信号４９を推定することができる。
【００２７】
代替信号４９の推定方法の他の例として、炉心の振動分布情報を利用する方法について説明する。
つまり、炉心の振動分布が把握されていれば、振動の節を中心とする対称位置からは、互いに位相の反転したＬＰＲＭ信号４３が出力されていることを利用する。
すなわち、例えば、ＡレベルのＬＰＲＭ信号４３Ａが除外信号４７である場合は、振動の節を中心とする対称位置で同じＡレベルのＬＰＲＭ信号を位相反転して（−１を乗じて）代替信号４９を推定することができる。
【００２８】
加算平均部２５は、除外指定部２３及び信号推定部２４からそれぞれ正規信号４８及び代替信号４９を入力し、これらを加算平均した加算平均信号５１を出力する。
つまり加算平均信号５１は、除外指定されたＬＰＲＭ信号４３を代替信号４９に置き替えたうえで、一つのセル１１に割り付けられている全ての信号を加算し平均化した信号となる。
【００２９】
時間平均部２６は、この加算平均信号５１を時間平均した時間平均信号５２を出力する。この時間平均信号５２は、時定数が比較的長いフィルタに加算平均信号５１を通過させることにより得られる。または、現時点から一定期間過去にさかのぼって受信した複数の加算平均信号５１の平均値を時間平均信号５２とすることもできる。
これにより、得られた時間平均信号５２は、加算平均信号５１に含まれる出力振動に由来する振動成分が除去（スムージング）された信号になる。
なお、ここに示す時間平均信号５２の算出方法は、例示であって、限定するわけではない。
【００３０】
演算部２７は、加算平均信号５１を時間平均信号５２で除算した規格値４４を出力する。この規格値４４は、加算平均信号５１に含まれる振動成分を反映し振動の中心値が１に規格された信号となる。
【００３１】
異常判定部１３（１３1,１３2〜１３m）は、図１に示すように、セル１１（１１1,１１2〜１１m）を単位として振動成分抽出部２０（２０1,２０2〜２０m）から出力される規格値４４（４４1,４４2〜４４m）の異常／正常の判定結果４５（４５1,４５2〜４５m）を出力する。
つまり異常判定部１３は、規格値４４の振動波形から導かれる振幅値、振幅増幅率及び周期に基づいて、燃料健全性が損なわれる危険性が高いと判定される場合は「異常」の判定結果４５を出力し、低いと判定される場合は「正常」の判定結果４５を出力する。
【００３２】
命令出力部１４は、複数のセル１１（１１1,１１2〜１１m）からそれぞれ出力される複数の判定結果４５（４５1,４５2〜４５m）に基づいて炉心制御に関する命令４６を出力する。
この命令出力部１４は、ＯＲ論理回路で構成され、いずれか一つのセル１１において「異常」の判定結果４５が示された場合は、原子炉３０をトリップさせる命令４６を出力する。
【００３３】
図３のフローチャートに基づいて原子炉の出力振動監視装置の動作を説明する。
まず、炉心３１内に配置される複数のＬＰＲＭ検出器４１が発信するＬＰＲＭ信号４３を受信する（Ｓ１１）。そして、受信したＬＰＲＭ信号４３を炉心の高さ方向位置及び水平方向位置が一致しないように組み合わせて指定のセル１１（１１1,１１2〜１１m）に割り付ける（Ｓ１２）。
【００３４】
次に、セル１１（１１1,１１2〜１１m）に割り付けられたＬＰＲＭ信号４３（４３Ａ，４３Ｂ，４３Ｃ，４３Ｄ）に除外条件を適用して合致するＬＰＲＭ信号４３を検索する（Ｓ１３）。そして、除外条件に合致するＬＰＲＭ信号４３（除外信号４７）が有る場合は（Ｓ１３：Ｙｅｓ）、正規信号４８に基づいて除外信号４７の代替信号４９を推定し（Ｓ１４）、正規信号４８及び代替信号４９を加算平均した加算平均信号５１を出力する（Ｓ１５）。
そして、除外条件に合致するＬＰＲＭ信号４３が無い場合は（Ｓ１３：Ｎｏ）、セル１１に割り付けられたＬＰＲＭ信号４３（正規信号４８）の全てを加算平均した加算平均信号５１を出力する（Ｓ１５）。
【００３５】
次に、この加算平均信号５１を時間平均した時間平均信号５２を出力し（Ｓ１６）、加算平均信号５１を時間平均信号５２で除算した規格値４４を出力する（Ｓ１７）。
そして、この規格値４４から出力振動の振幅及び／又は周期を導いて（Ｓ１８）、判定結果４５を出力する（Ｓ１９）。
そして、セル１１（１１1,１１2〜１１m）を単位として出力される判定結果４５（４５1,４５2〜４５m）に異常判定が含まれていなければ（Ｓ２０：Ｎｏ）、Ｓ１１〜Ｓ１９のフローが繰り返される。
【００３６】
一つでも異常判定が含まれていれば（Ｓ２０：Ｙｅｓ）、炉心制御に関する命令４６（トリップ命令）が出力される（Ｓ２１：ＥＮＤ）。
これにより応答の早い炉心下部のＬＰＲＭ信号４３Ａが、除外条件に合致した場合であっても、異常発生時にトリップ命令の発令遅れが改善される。
【００３７】
図４は、本発明の実施形態から派生する振動成分抽出部の参考例を示している。なお、図４において図２と共通の構成又は機能を有する部分は、同一符号で示し、重複する説明を省略する。
この図４に示す参考例では、信号推定部２４（図２）が設けられず、代わりに係数付加部２８が設けられている。
【００３８】
この係数付加部２８は、ＬＰＲＭ信号４３のうち除外条件２２に合致しない正規信号４８を入力し、その振幅を係数Ｋ（＞１）倍して加算平均部２５に出力する。
その結果、異常判定部１３は、この係数Ｋに依存して増幅した規格値４４を入力することとなる。なお、係数Ｋは、正規信号４８又は除外信号の高さレベルに応じて異なるものを適用してもよい。
【００３９】
つまり、本参考例では、ＬＰＲＭ信号４３の一部が除外条件２２に合致する場合は、代替信号が推定されることがないために、減少した正規信号４８のみで出力振動の異常／正常の判定がなされる。
そこで、出力振動を過大評価することにより、異常判定部１３における正常から異常に切り替わるタイミングを早め、判定がより保守的になるようにする。
【００４０】
図５は、本発明の実施形態から派生する振動成分抽出部の参考例を示している。なお、図５において図２と共通の構成又は機能を有する部分は、同一符号で示し、重複する説明を省略する。
この図５に示す参考例では、信号推定部２４（図２）が設けられず、除外指定がなされた場合に除外指定部２３から異常判定部１３に、除外報告５５がなされる。
【００４１】
そして、ＬＰＲＭ信号４３の一部が除外条件２２に合致する場合は、代替信号が推定されることがなく、減少した正規信号４８のみで出力振動の異常／正常の判定がなされる。
除外報告５５を受信した異常判定部１３は、規格値４４の振動波形から導かれる振幅値、振幅増幅率及び周期に対する判定基準を厳しくする。
これにより、異常判定部１３における正常から異常に切り替わるタイミングが早まり、判定がより保守的になる。
【００４２】
以上述べた少なくともひとつの実施形態の原子炉の出力振動監視装置によれば、除外条件に合致するＬＰＲＭ信号を、正規信号に基づいて推定される代替信号に置き換えることにより、適正なタイミングにより出力振動の異常／正常の判定結果を出力することが可能となる。
【００４３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれると同様に、特許請求の範囲に記載された発明とその均等の範囲に含まれるものである。
また、原子炉の出力振動監視装置の構成要素は、コンピュータのプロセッサで実現することも可能であり、原子炉の出力振動監視プログラムにより動作させることが可能である。
【符号の説明】
【００４４】
１０…出力振動監視装置、１１（１１1,１１2〜１１m）…セル、１２…信号割付部（割付部）、１３（１３1,１３2〜１３m）…異常判定部（判定部）、１４…命令出力部、２０（２０1,２０2〜２０m）…振動成分抽出部、２１…信号受信部、２２…除外条件、２３…除外指定部（指定部）、２４…信号推定部（推定部）、２５…加算平均部、２６…時間平均部、２７…規格値演算部、２８…係数付加部、３０…原子炉、３１…炉心、３２…圧力容器、３３…タービン、３４…主蒸気管、３５…給水管、３６…気水分離器、３７…再循環ポンプ、４１（４１A,４１B,４１C,４１D）…ＬＰＲＭ検出器、４２（４２1,４２2〜４２n）…計装管、４３（４３Ａ，４３Ｂ，４３Ｃ，４３Ｄ）…ＬＰＲＭ信号、４４（４４1,４４2〜４４m）…規格値、４５（４５1,４５2〜４５m）…判定結果、４６…命令（トリップ命令）、４７…除外信号、４８…正規信号、４９…代替信号、５１…加算平均信号、５２…時間平均信号、５４…流速情報、５５…除外報告。
【図１】
2014234995.tif 000003
【図２】
2014234995.tif 000004
【図３】
2014234995.tif 000005
【図４】
2014234995.tif 000006
【図５】
2014234995.tif 000007